(57)【特許請求の範囲】
【請求項１】
液晶パネルを組み込んだフレームユニットと、
前記液晶パネルの表示面を臨ませる開口部を有し、前記フレームユニットの前面に配置される一種類の前面カバーとを備えた液晶表示装置の画面表示サイズ調整方法において、
前記前面カバーの開口部に比べて小さく且つ各種の前記液晶パネルの画面表示サイズに応じた開口面積にそれぞれ固定された調整開口部を有する樹脂成形品からなる複数種の前面カバー補助部材を準備する工程と、
前記画面表示サイズに合わせた使い分けにより前記前面カバーの開口部の開口面積を調整するために前記前面カバーの裏面に一の前記前面カバー補助部材を取り付ける取り付け工程と
を備えることを特徴とする液晶表示装置の画面表示サイズ調整方法。
【請求項２】
前記取り付け工程は、締結具により前記前面カバーの裏面に一の前記前面カバー補助部材を取り付ける工程を含む請求項１に記載の液晶表示装置の画面表示サイズ調整方法。
【請求項３】
前記取り付け工程は、前記前面カバー補助部材に設けられた係合部を、前記前面カバーの裏面に設けられた被係合部に係合させることにより前面カバーの裏面に一の前記前面カバー補助部材を取り付ける工程を含む請求項１に記載の液晶表示装置の画面表示サイズ調整方法。
【請求項４】
前記取り付け工程は、前記前面カバー補助部材に設けられた位置決め部を、前記前面カバーの裏面に設けられた位置決め部に位置合わせした状態で、前記前面カバーと前記フレームユニットとで挟むことにより前面カバーの裏面に一の前記前面カバー補助部材を取り付ける工程を含む請求項１に記載の液晶表示装置の画面表示サイズ調整方法。
【請求項５】
前記取り付け工程は、前記前面カバー補助部材に設けられた嵌合部を、前記前面カバーの裏面に設けられた被嵌合部に嵌合させることにより前面カバーの裏面に一の前記前面カバー補助部材を取り付ける工程を含む請求項１に記載の液晶表示装置の画面表示サイズ調整方法。
【発明の詳細な説明】
【技術分野】
【０００１】
この発明は液晶表示装置の画面表示サイズ調整方法に関する。
【背景技術】
【０００２】
図１０は従来の液晶表示装置の一例を示す分解斜視図である。この液晶表示装置は、装置本体１をスタンド２で支持して構成される。装置本体１は、液晶パネルを組み込んだフレームユニット３や、このフレームユニット３の前面に配置されるベゼル４や、前記フレームユニット３の裏面に設置されフレームユニット３の裏面を電気的に遮蔽するシールドカバー５や、このシールドカバー５の裏面側に配置され、前記フレームユニット３およびシールドカバー５を前記ベゼル４とで覆うバックカバー６などで構成される。
【０００３】
前記ベゼル４は液晶パネルの表示面を臨ませる開口部４ａを有し、この開口部４ａにより、液晶パネルの表示面のうち実質的な画面表示エリアが開放される。
【発明の開示】
【発明が解決しようとする課題】
【０００４】
しかし、上述した従来の液晶表示装置の場合、画面表示サイズの異なる液晶表示装置ごとに、それらのサイズに合う開口部４ａを有するベゼル４を個別に用意しなければならず、製造コストが増大するという問題点を有する。
【０００５】
そこで、この発明の目的は、製造コストを大幅に低減できる液晶表示装置の画面表示サイズ調整方法を提供することである。
【課題を解決するための手段】
【０００６】
この発明に係る液晶表示装置の画面表示サイズ調整方法は、液晶パネルを組み込んだフレームユニットと、前記液晶パネルの表示面を臨ませる開口部を有し、前記フレームユニットの前面に配置される一種類の前面カバーとを備えた液晶表示装置の画面表示サイズ調整方法において、前記前面カバーの開口部に比べて小さく且つ各種の前記液晶パネルの画面表示サイズに応じた開口面積にそれぞれ固定された調整開口部を有する樹脂成形品からなる複数種の前面カバー補助部材を準備する工程と、前記画面表示サイズに合わせた使い分けにより前記前面カバーの開口部の開口面積を調整するために前記前面カバーの裏面に一の前記前面カバー補助部材を取り付ける取り付け工程とを備える。
【０００７】
前記取り付け工程は、締結具により前記前面カバーの裏面に一の前記前面カバー補助部材を取り付ける工程を含んでも良い。
【０００８】
また、前記取り付け工程は、前記前面カバー補助部材に設けられた係合部を、前記前面カバーの裏面に設けられた被係合部に係合させることにより前面カバーの裏面に一の前記前面カバー補助部材を取り付ける工程を含んでも良い。
【０００９】
また、前記取り付け工程は、前記前面カバー補助部材に設けられた位置決め部を、前記前面カバーの裏面に設けられた位置決め部に位置合わせした状態で、前記前面カバーと前記フレームユニットとで挟むことにより前面カバーの裏面に一の前記前面カバー補助部材を取り付ける工程を含んでも良い。
【００１０】
また、前記取り付け工程は、前記前面カバー補助部材に設けられた嵌合部を、前記前面カバーの裏面に設けられた被嵌合部に嵌合させることにより前面カバーの裏面に一の前記前面カバー補助部材を取り付ける工程を含んでも良い。
【発明の効果】
【００１１】
この発明の第１の液晶表示装置の画面表示サイズ調整方法は、液晶パネルを組み込んだ
フレームユニットと、前記液晶パネルの表示面を臨ませる開口部を有し、前記フレームユニットの前面に配置される一種類の前面カバーとを備えた液晶表示装置の画面表示サイズ調整方法において、前記前面カバーの開口部に比べて小さく且つ各種の前記液晶パネルの画面表示サイズに応じた開口面積にそれぞれ固定された調整開口部を有する樹脂成形品からなる複数種の前面カバー補助部材を準備する工程と、前記画面表示サイズに合わせた使い分けにより前記前面カバーの開口部の開口面積を調整するために前記前面カバーの裏面に一の前記前面カバー補助部材を取り付ける取り付け工程とを備えるので、多種類の画面表示サイズに対して前面カバー補助部材を使い分けることにより、一種類の前面カバーを各画面表示サイズのものに共用することができ、製造コストを大幅に低減できる。
【００１２】
この発明の第２の液晶表示装置の画面表示サイズ調整方法は、前記第１の液晶表示装置の画面表示サイズ調整方法において、前記取り付け工程は、締結具により前記前面カバーの裏面に一の前記前面カバー補助部材を取り付ける工程を含むものとしたので、前面カバー補助部材を簡単な作業で前面カバーの裏面に取り付けることができ、その組立工程を簡略化できる。
【００１３】
この発明の第３の液晶表示装置の画面表示サイズ調整方法は、前記第１の液晶表示装置の画面表示サイズ調整方法において、前記取り付け工程は、前記前面カバー補助部材に設けられた係合部を、前記前面カバーの裏面に設けられた被係合部に係合させることにより前面カバーの裏面に一の前記前面カバー補助部材を取り付ける工程を含むものとしたので、前面カバー補助部材を簡単な作業で前面カバーの裏面に取り付けることができ、その組立工程を簡略化できる。
【００１４】
この発明の第４の液晶表示装置の画面表示サイズ調整方法は、前記第１の液晶表示装置の画面表示サイズ調整方法において、前記取り付け工程は、前記前面カバー補助部材に設けられた位置決め部を、前記前面カバーの裏面に設けられた位置決め部に位置合わせした状態で、前記前面カバーと前記フレームユニットとで挟むことにより前面カバーの裏面に一の前記前面カバー補助部材を取り付ける工程を含むものとしたので、前面カバー補助部材を簡単な作業で前面カバーの裏面に取り付けることができ、その組立工程を簡略化できる。
【００１５】
この発明の第５の液晶表示装置の画面表示サイズ調整方法は、前記第１の液晶表示装置の画面表示サイズ調整方法において、前記取り付け工程は、前記前面カバー補助部材に設けられた嵌合部を、前記前面カバーの裏面に設けられた被嵌合部に嵌合させることにより前面カバーの裏面に一の前記前面カバー補助部材を取り付ける工程を含むものとしたので、前面カバー補助部材を簡単な作業で前面カバーの裏面に取り付けることができ、その組立工程を簡略化できる。
【発明を実施するための最良の形態】
【００１６】
以下、この発明をその実施の形態を示す図面に基づいて具体的に説明する。なお、図１０に示した従来例と同一または同等の部分には同じ符号を付して示している。
【００１７】
実施の形態１．
図１はこの発明の実施の形態１による液晶表示装置を示す分解斜視図である。この液晶表示装置は、装置本体１と、この装置本体１を支持するスタンド２とで構成される。装置本体１は、フレームユニット３、ベゼル４、インナーベゼル７、シールドカバー５、バックカバー６等で構成される。
【００１８】
フレームユニット３は液晶パネルを組み込んだ部材であって、例えば板金品からなる。ベゼル４はフレームユニット３の前面に配置される前面カバーであって、例えば樹脂成形品からなり、液晶パネルの表示面を臨ませる開口部４ａを有する。シールドカバー５は、フレームユニット３の裏面に取り付けられて、フレームユニット３の裏面を電気的に遮蔽する部材である。
【００１９】
インナーベゼル７は前面カバー補助部材となるものであって、例えば樹脂成形品からなる。このインナーベゼル７は、前記ベゼル４の開口部４ａに比べて若干小さい調整開口部７ａを有し、ベゼル４の裏面に取り付けられてベゼル開口部４ａの開口面積を制限する。すなわち、インナーベゼル７の調整開口部４ａは、この液晶表示装置に用いられる液晶パネルの画面表示サイズに合わせた開口面積に設定されている。これに対してベゼル４の開口部４ａは、液晶表示装置の系列の中で最も大きい画面表示サイズに合わせた開口面積に設定されている。
【００２０】
インナーベゼル７の周縁には、図２に示すように、締結具であるビス９を挿通する挿通孔１０を有する複数の取付片１１が一体成形されている。また、ベゼル４の裏面の開口部４ａ周辺には、前記インナーベゼル７の挿通孔１０に整合するねじ孔を有する複数のボス１２が一体成形されている。前記インナーベゼル取付片１１の挿通孔１０に挿通させたビス９を、ベゼル４のボス１２のねじ孔に螺合させることにより、インナーベゼル７の調整開口部７ａがベゼル開口部４ａの内周側に重なる状態で、ベゼル４の裏面にインナーベゼル７が締結される。これにより、図３に示すように、インナーベゼル７の調整開口部７ａによって、ベゼル開口部４ａが液晶パネルの実質的な表示面域である画面表示エリアＡにほぼ整合する開口面積に制限される。
【００２１】
スタンド２のバックカバー６への取付部やスタンド背面部は、カバー１３，１４によってそれぞれ被覆される。
【００２２】
このように、この実施の形態１による液晶表示装置では、各種の画面表示サイズに合った調整開口部７ａを有するインナーベゼル７をベゼル４の裏面に取り付けることにより、ベゼル開口部４ａを画面表示サイズに合った開口面積に調整できる。すなわち、多種類の画面表示サイズに対して、構造の簡単な多種類のインナーベゼル７を使い分けることにより、一種類のベゼル４を各画面表示サイズのものに共用することができ、製造コストを大幅に低減できる。なお、画面表示サイズが最大の液晶表示装置では、前記インナーベゼル７を省略することで、ベゼル４の開口部４ａを液晶パネルの画面表示エリアＡに整合させることができる。
【００２３】
また、締結具であるビス９により、インナーベゼル７をベゼル４の裏面に締結するようにしているので、インナーベゼル７を簡単な作業でベゼル４の裏面に取り付けることができ、その組立工程を簡略化できる。
【００２４】
実施の形態２．
図４はこの発明の実施の形態２による液晶表示装置における一部分解斜視図を示す。すなわち、この液晶表示装置では、先の実施の形態１の構成を基として、インナーベゼル７の周縁に複数の係合爪１５が一体成形されると共に、ベゼル４の裏面の開口部４ａの周辺に前記係合爪１５の係合する断面逆Ｌ字状の複数の被係合片１６が一体成形されている。前記インナーベゼル７の係合爪１５を、図５に断面図で示すように、ベゼル４の被係合片１６に係合させることにより、ベゼル４の裏面にインナーベゼル７が取り付けられる。ベゼル開口部４ａと、インナーベゼル７の調整開口部７ａとの関係は実施の形態１の場合と同様である。
【００２５】
この実施の形態２の場合、前記係合構造によりベゼル４の裏面にインナーベゼル７を簡単な作業で取り付けることができ、その組立工程を簡略化できる。多種類の画面表示サイズに対して一種類のベゼル４を共用できることは実施の形態１の場合と同様である。
【００２６】
実施の形態３．
図６はこの発明の実施の形態３による液晶表示装置における一部分解斜視図図を示し、図７はその要部断面図を示す。すなわち、この液晶表示装置では、先の実施形態１の構成を基として、ベゼル４の裏面の開口部４ａ周縁に位置決め段部１７が一体成形されると共に、インナーベゼル７の表面の調整開口部７ａ周辺に位置決め段部１８が一体成形されている。前記インナーベゼル７の位置決め段部１８を前記ベゼル４の位置決め段部１７に位置合わせした状態で、ベゼル４と前記フレームユニット３とでインナーベゼル７を挟むことにより、インナーベゼル７がベゼル４の裏面に取り付けられる。
【００２７】
この実施の形態３の場合、ベゼル４の裏面にフレームユニット３を取り付ける作業の一環として、ベゼル４の裏面へインナーベゼル７を位置ずれすることなく取り付けることができ、その組立工程を簡略化できる。多種類の画面表示サイズに対して一種類のベゼル４を共用できることは実施の形態１の場合と同様である。
【００２８】
実施の形態４．
図８はこの発明の実施の形態４による液晶表示装置における一部分解斜視図を示す。すなわち、この液晶表示装置では、先の実施形態１の構成を基として、インナーベゼル７の各コーナ部に外方に突出する嵌合部１９が一体成形されると共に、ベゼル４の裏面の開口部４ａの周辺に前記嵌合部１９が嵌合する複数の被嵌合部２０が一体成形されている。前記インナーベゼル７の嵌合部１９を、図９に断面図で示すように、ベゼル４の被嵌合部２０に嵌合させることにより、ベゼル４の裏面にインナーベゼル７が取り付けられる。ベゼル開口部４ａと、インナーベゼル７の調整開口部７ａとの関係は実施の形態１の場合と同様である。
【００２９】
この実施の形態４の場合、前記嵌合構造によりベゼル４の裏面にインナーベゼル７を簡単な作業で取り付けることができ、その組立工程を簡略化できる。多種類の画面表示サイズに対して一種類のベゼル４を共用できることは実施の形態１の場合と同様である。
【図面の簡単な説明】
【００３０】
【図１】この発明の実施の形態１による液晶表示装置を示す分解斜視図である。
【図２】この発明の実施の形態１による液晶表示装置におけるベゼルとインナーベゼルの関係を示す分解斜視図である。
【図３】この発明の実施の形態１によるベゼルにインナーベゼルを取り付けた状態を示す正面図である。
【図４】この発明の実施の形態２による液晶表示装置におけるベゼルとインナーベゼルの関係を示す分解斜視図である。
【図５】この発明の実施の形態２によるベゼルとインナーベゼルの関係を示す要部拡大断面図である。
【図６】この発明の実施の形態３による液晶表示装置におけるベゼルとインナーベゼルの関係を示す分解斜視図である。
【図７】この発明の実施の形態３による液晶表示装置におけるベゼルとインナーベゼルの関係を示す分解斜視図である。ベゼルとインナーベゼルの関係を示す要部拡大断面図である。
【図８】この発明の実施の形態４による液晶表示装置におけるベゼルとインナーベゼルの関係を示す分解斜視図である。
【図９】この発明の実施の形態４によるベゼルとインナーベゼルの関係を示す要部拡大断面図である。
【図１０】従来の液晶表示装置を示す分解斜視図である。
【符号の説明】
【００３１】
３  フレームユニット、４  ベゼル（前面カバー）、４ａ  開口部、７  インナーベゼル（前面カバー補助部材）、７ａ  調整開口部、９  ビス（締結具）、１５  係合爪（係合部）、１６  被係合片（被係合部）、１７  位置決め段部、１８  位置決め段部、１９  嵌合部、２０  被嵌合部。
【図１】
0004653791.tif 000002
【図２】
0004653791.tif 000003
【図３】
0004653791.tif 000004
【図４】
0004653791.tif 000005
【図５】
0004653791.tif 000006
【図６】
0004653791.tif 000007
【図７】
0004653791.tif 000008
【図８】
0004653791.tif 000009
【図９】
0004653791.tif 000010
【図１０】
0004653791.tif 000011